(57)【要約】【課題】空気調和機の室外機の低消費電力化を実現することのできる制御装置を提供する。【解決手段】制御装置は、室外機に備えられる制御装置であって、室内機から受信する指令が、前記室外機を通常動作させる通常モード指令であるか、前記室外機を停止させる停止モード指令であるかを、所定の時間が経過する度に判定する指令判定部と、前記指令が前記停止モード指令であると前記指令判定部が所定の回数連続して判定した場合に、前記室外機の動作を通常動作から待機状態での動作に変更する動作制御部と、前記動作制御部が前記室外機の動作を通常動作から待機状態での動作に変更する前に、前記室外機の動作を通常動作から待機状態での動作に変更することを前記室内機に報知する報知部と、を備える。【選択図】図２
2020016413.tif 000002
【特許請求の範囲】
【請求項１】
室外機に備えられる制御装置であって、
室内機から受信する指令が、前記室外機を通常動作させる通常モード指令であるか、前記室外機を停止させる停止モード指令であるかを、所定の時間が経過する度に判定する指令判定部と、
割り込み信号を受信可能な割り込み信号受信部と、
前記指令が前記停止モード指令であると前記指令判定部が所定の回数連続して判定した場合に、前記室外機の動作を通常動作から待機状態での動作に変更し、前記割り込み信号受信部が前記割り込み信号を受信した場合、前記室外機の動作を待機状態での動作から通常動作に変更する動作制御部と、
を備える制御装置。
【請求項２】
前記割り込み信号を生成する割り込み信号生成部、
を備える請求項１に記載の制御装置。
【請求項３】
前記割り込み信号生成部は、
生成した前記割り込み信号を制御装置の外部の配線を介して前記割り込み信号受信部に送信する、
請求項１または請求項２に記載の制御装置。
【請求項４】
前記割り込み信号生成部は、
生成した前記割り込み信号を制御装置の内部で前記割り込み信号受信部に送信する、
請求項１または請求項２に記載の制御装置。
【請求項５】
前記動作制御部が前記室外機の動作を通常動作から待機状態での動作に変更する前に、前記室外機の動作を通常動作から待機状態での動作に変更することを前記室内機に報知する報知部、
を備える請求項１から請求項４の何れか一項に記載の制御装置。
【請求項６】
請求項１から請求項５の何れか一項に記載の制御装置と、
室外機と、
を備える空気調和機。
【請求項７】
室外機に備えられる制御装置による制御方法であって、
室内機から受信する指令が、前記室外機を通常動作させる通常モード指令であるか、前記室外機を停止させる停止モード指令であるかを、所定の時間が経過する度に判定することと、
前記指令が前記停止モード指令であると所定の回数連続して判定した場合に、前記室外機の動作を通常動作から待機状態での動作に変更することと、
前記室外機の動作を通常動作から待機状態での動作に変更する前に、前記室外機の動作を通常動作から待機状態での動作に変更することを前記室内機に報知することと、
を含む制御方法。
【請求項８】
室外機に備えられる制御装置のコンピュータに、
室内機から受信する指令が、前記室外機を通常動作させる通常モード指令であるか、前記室外機を停止させる停止モード指令であるかを、所定の時間が経過する度に判定することと、
前記指令が前記停止モード指令であると所定の回数連続して判定した場合に、前記室外機の動作を通常動作から待機状態での動作に変更することと、
前記室外機の動作を通常動作から待機状態での動作に変更する前に、前記室外機の動作を通常動作から待機状態での動作に変更することを前記室内機に報知することと、
を実行させるプログラム。
【発明の詳細な説明】
【技術分野】
【０００１】
本発明は、制御装置、空気調和機、制御方法及びプログラムに関する。
【背景技術】
【０００２】
空気調和機において、室内機と室外機は通信しながら連携して動作する。一般的に、室内機がマスターとなり室外機がスレーブとなり、室外機は、室内機からの指令に基づいて動作する（例えば、特許文献１）。
【先行技術文献】
【特許文献】
【０００３】
【特許文献１】特開２０１０−０３８４８４号公報
【発明の概要】
【発明が解決しようとする課題】
【０００４】
ところで、空気調和機の室外機では、低消費電力化を実現することのできる技術が求められている。
【０００５】
本発明は、上記の課題を解決することのできる制御装置、空気調和機、制御方法及びプログラムを提供することを目的としている。
【課題を解決するための手段】
【０００６】
本発明の第１の態様によれば、制御装置は、室外機に備えられる制御装置であって、室内機から受信する指令が、前記室外機を通常動作させる通常モード指令通常モード指令であるか、前記室外機を停止させる停止モード指令であるかを、所定の時間が経過する度に判定する指令判定部と、割り込み信号を受信可能な割り込み信号受信部と、前記指令が前記停止モード指令であると前記指令判定部が所定の回数連続して判定した場合に、前記室外機の動作を通常動作から待機状態での動作に変更し、前記割り込み信号受信部が前記割り込み信号を受信した場合、前記室外機の動作を待機状態での動作から通常動作に変更する 動作制御部と、を備える。
【０００７】
本発明の第２の態様によれば、第１の態様における制御装置は、前記割り込み信号を生成する割り込み信号生成部、を備えるものであってもよい。
【０００８】
本発明の第３の態様によれば、第１の態様または第２の態様における制御装置において、前記割り込み信号生成部は、生成した前記割り込み信号を制御装置の外部の配線を介して前記割り込み信号受信部に送信するものであってもよい。
【０００９】
本発明の第４の態様によれば、第１の態様または第２の態様における制御装置において、前記割り込み信号生成部は、生成した前記割り込み信号を制御装置の内部で前記割り込み信号受信部に送信するものであってもよい。
【００１０】
本発明の第５の態様によれば、第１の態様から第４の態様における何れか１つの制御装置は、前記動作制御部が前記室外機の動作を通常動作から待機状態での動作に変更する前に、前記室外機の動作を通常動作から待機状態での動作に変更することを前記室内機に報知する報知部、を備えるものであってもよい。
【００１１】
本発明の第６の態様によれば、空気調和機は、請求項１から請求項５における何れか１つの制御装置と、室外機と、を備える。
【００１２】
本発明の第７の態様によれば、制御方法は、室外機に備えられる制御装置による制御方法であって、室内機から受信する指令が、前記室外機を通常動作させる通常モード指令通常モード指令であるか、前記室外機を停止させる停止モード指令であるかを、所定の時間が経過する度に判定することと、前記指令が前記停止モード指令であると所定の回数連続して判定した場合に、前記室外機の動作を通常動作から待機状態での動作に変更することと、前記室外機の動作を通常動作から待機状態での動作に変更する前に、前記室外機の動作を通常動作から待機状態での動作に変更することを前記室内機に報知することと、を含む。
【００１３】
本発明の第８の態様によれば、プログラムは、室外機に備えられる制御装置のコンピュータに、室内機から受信する指令が、前記室外機を通常動作させる通常モード指令通常モード指令であるか、前記室外機を停止させる停止モード指令であるかを、所定の時間が経過する度に判定することと、前記指令が前記停止モード指令であると所定の回数連続して判定した場合に、前記室外機の動作を通常動作から待機状態での動作に変更することと、前記室外機の動作を通常動作から待機状態での動作に変更する前に、前記室外機の動作を通常動作から待機状態での動作に変更することを前記室内機に報知することと、を実行させる。
【発明の効果】
【００１４】
本発明の実施形態による制御装置、空気調和機、制御方法及びプログラムによれば、空気調和機の室外機の低消費電力化を実現することができる。
【図面の簡単な説明】
【００１５】
【図１】本発明の第１の実施形態による空気調和機の構成の一例を示す図である。
【図２】本発明の第１の実施形態による室外機に備えられる制御装置の構成を示す図である。
【図３】本発明の第１の実施形態による室内機に備えられる制御装置の構成を示す図である。
【図４】本発明の第１の実施形態による空気調和機の処理フローを示す図である。
【図５】本発明の第２の実施形態による室外機に備えられる制御装置の構成を示す図である。
【図６】本発明の第２の実施形態による空気調和機の処理フローを示す図である。
【図７】少なくとも１つの実施形態に係るコンピュータの構成を示す概略ブロック図である。
【発明を実施するための形態】
【００１６】
＜第１の実施形態＞
以下、図面を参照しながら実施形態について詳しく説明する。
本発明の第１の実施形態による空気調和機１の構成について説明する。
空気調和機１は、図１に示すように、室外機１０、室内機２０を備える。なお、図１に記載されている「５ボルト」は５ボルト電源であり、「２０ボルト」は２０ボルト電源である。室外機１０の第１端子は、室内機２０の第１端子、２０ボルト電源の出力端子それぞれに接続される。室外機１０の第２端子は、室内機２０の第２端子に接続される。
空気調和機１における室外機１０は、室内機２０から受信する指令が、室外機１０を通常動作させる通常モード指令通常モード指令であるか、室外機１０を停止させる停止モード指令であるかを、所定の時間が経過する度に判定し、指令が停止モード指令であると判定した場合に、室外機１０の動作を通常動作から待機状態での動作に変更する室外機である。また、空気調和機１における室外機１０は、割り込み信号を受信した場合、室外機１０の動作を待機状態での動作から通常動作に変更する室外機である。
【００１７】
室外機１０は、図１に示すように、制御装置１０１、フォトカプラ１０２、１０３、抵抗１０４、トランジスタ１０５を備える。ここでフォトカプラ１０２、１０３における発光ダイオードのアノードを第１端子、カソードを第２端子、出力トランジスタのコレクタを第３端子、エミッタを第４端子とする。
制御装置１０１の第１端子は、フォトカプラ１０２の第４端子、抵抗１０４の第１端子それぞれに接続される。制御装置１０１の第２端子は、トランジスタ１０５のベースに接続される。フォトカプラ１０２の第１端子は、室外機１０の第２端子に接続される。フォトカプラ１０２の第２端子は、フォトカプラ１０３の第３端子に接続される。フォトカプラ１０２の第３端子は、５ボルト電源の出力端子に接続される。フォトカプラ１０３の第１端子は、５ボルト電源の出力端子に接続される。フォトカプラ１０３の第２端子は、トランジスタ１０５のコレクタに接続される。フォトカプラ１０３の第４端子、抵抗１０４の第２端子、トランジスタ１０５のエミッタのそれぞれは、グラウンドＧＮＤに接続される。
【００１８】
制御装置１０１は、図２に示すように、通信部１０１１、記憶部１０１２、指令判定部１０１３、割り込み信号受信部１０１４、動作制御部１０１５、割り込み信号生成部１０１６を備える。
通信部１０１１は、室内機２０と通信を行う。
記憶部１０１２は、制御装置１０１が行う処理に必要な種々の情報を記憶する。
【００１９】
指令判定部１０１３は、室内機２０から通信部１０１１を介して受信する指令が、室外機１０を通常動作させる通常モード指令であるか、室外機１０を停止させる停止モード指令であるかを、所定の時間が経過する度に判定する。室外機１０を通常動作させる通常モード指令は、例えば、ユーザが空気調和機１を動作させ、室温を設定するようリモコンを操作した場合に、室内機２０が室外機１０に対して送信する第１パルス信号である。また、室外機１０を停止させる停止モード指令は、例えば、ユーザが空気調和機１を停止させるようリモコンを操作した場合に、室内機２０が室外機１０に対して送信する第２パルス信号である。なお、第２パルス信号は、第１パルス信号と異なる信号である。
例えば、室内機２０が、１秒ごとに、リモコンを介して設定された設定内容から、通常動作をさせる状態であるか、停止させる状態であるかを判定し、判定結果に応じた第１パルス信号または第２パルス信号を室外機１０に送信する場合、指令判定部１０１３は、１秒ごとに、受信する指令が、室外機１０を通常動作させる通常モード指令であるか、室外機１０を停止させる停止モード指令であるかを判定する。
【００２０】
また、指令判定部１０１３は、受信した指令が、停止モード指令であると所定の回数連続して判定した場合、停止モード指令であると所定の回数連続して判定したことを示す信号を動作制御部１０１５に出力する。また、指令判定部１０１３は、受信した指令が、通常モード指令であると１回判定した場合、通常モード指令であると１回判定したことを示す信号を動作制御部１０１５に出力する。
【００２１】
割り込み信号受信部１０１４は、割り込み信号が存在する場合には、受信することができる。すなわち、割り込み信号受信部１０１４は、割り込み信号を受信可能な状態にある。なお、割り込み信号とは、室外機１０の動作を待機状態での動作から通常動作に変更する場合のトリガとなる信号である。
割り込み信号受信部１０１４は、割り込み信号を受信すると、割り込み信号を受信したことを示す信号を動作制御部１０１５に出力する。
【００２２】
動作制御部１０１５は、指令判定部１０１３から、通常モード指令であると１回判定したことを示す信号を受けた場合、室内機２０との間の通信を継続する制御を行う。
また、動作制御部１０１５は、室内機２０から受信した指令が停止モード指令であると指令判定部１０１３が所定の回数連続して判定した場合に、室外機１０の動作を通常動作から待機状態での動作に変更する。このとき、動作制御部１０１５は、室外機１０の動作を通常動作から待機状態での動作に変更したことを示す情報を割り込み信号生成部１０１６に出力する。
【００２３】
また、動作制御部１０１５は、割り込み信号受信部１０１４が割り込み信号を受信した場合（すなわち、割り込み信号を受信したことを示す信号を割り込み信号受信部１０１４から受けた場合）、室外機１０の動作を待機状態での動作から通常動作に変更する。
【００２４】
割り込み信号生成部１０１６は、室外機１０の動作を通常動作から待機状態での動作に変更したことを示す情報を動作制御部１０１５から受けると、所定の時間ごと（例えば、３０秒ごと）に割り込み信号を生成する。割り込み信号生成部１０１６は、割り込み信号を生成する度に、生成した割り込み信号を制御装置の外部に設けられた配線１００（図１参照）を介して、割り込み信号受信部１０１４に出力する。
【００２５】
フォトカプラ１０２、１０３それぞれは、入力電流の大きさに応じた大きさの電流を出力する。
具体的には、フォトカプラ１０２、１０３それぞれにおいて、入力電流は発光ダイオードに流れる。発光ダイオードは、流れる電流の電流値に応じた強さで発光する。発光ダイオードが発光して放出される光は、フォトカプラ内の受光部で受光される。受光部が受光した光の強さに応じた電流を出力トランジスタのベースに流すことによって、出力トランジスタのコレクタからエミッタへ出力電流が流れる。
【００２６】
抵抗１０４は、フォトカプラ１０２の出力電流に応じた電圧を制御装置１０１の第１端子に印加させる。制御装置１０１の第１端子に印加される電圧は、抵抗１０４の抵抗値とフォトカプラ１０２の出力電流値を乗算した値の電圧である。
【００２７】
トランジスタ１０５は、室内機と室外機の通信モードの切り替えのために用いられるトランジスタである。室外機が受信モードのときはトランジスタ１０５がオンとなり，室外機が送信モード時はトランジスタ１０５のベースに制御装置１０１から通信信号が入力される。
【００２８】
室内機２０は、図１に示すように、制御装置２０１、フォトカプラ２０２、２０３、抵抗２０４、トランジスタ２０５を備える。ここでフォトカプラ２０２、２０３における発光ダイオードのアノードを第１端子、カソードを第２端子、出力トランジスタのコレクタを第３端子、エミッタを第４端子とする。
制御装置２０１の第１端子は、フォトカプラ２０２の第４端子、抵抗２０４の第１端子それぞれに接続される。制御装置２０１の第２端子は、トランジスタ２０５のベースに接続される。フォトカプラ２０２の第１端子は、室内機２０の第１端子に接続される。フォトカプラ２０２の第２端子は、フォトカプラ２０３の第３端子に接続される。フォトカプラ２０２の第３端子は、５ボルト電源の出力端子に接続される。フォトカプラ２０３の第１端子は、５ボルト電源の出力端子に接続される。フォトカプラ２０３の第２端子は、トランジスタ２０５のコレクタに接続される。フォトカプラ２０３の第４端子は、室内機２０の第２端子に接続される。抵抗２０４の第２端子、トランジスタ２０５のエミッタのそれぞれは、グラウンドＧＮＤに接続される。
【００２９】
制御装置２０１は、図３に示すように、通信部２０１１、記憶部２０１２、操作特定部２０１３、制御部２０１４を備える。
通信部２０１１は、室外機１０と通信を行う。
記憶部２０１２は、制御装置２０１が行う処理に必要な種々の情報を記憶する。
【００３０】
操作特定部２０１３は、ユーザが空気調和機１のリモコンに対して行った操作よって、リモコン（図示せず）から室内機２０に送信される信号が示す内容を所定の時間ごと（例えば、１秒ごと）に特定する。
具体的には、操作特定部２０１３は、ユーザが空気調和機１のリモコンに対して行った操作よって、リモコンから室内機２０に送信される信号を受信する。ユーザが空気調和機１のリモコンに対して行った操作よって、リモコンから室内機２０に送信される信号には、例えば、空気調和機１をオン状態にする情報、空気調和機１をオフ状態にする情報、設定温度を示す情報、風向を示す情報、風量を示す情報、選択された運転モード（例えば、冷房、暖房、送風、除湿など）を示す情報などの空気調和機１の運転に係る情報が含まれている。操作特定部２０１３は、受信した信号を解析することでリモコンから室内機２０に送信される信号が示す内容を特定することができる。
操作特定部２０１３は、内容を特定する度に、その特定した内容を含む情報を制御部２０１４に出力する。
【００３１】
制御部２０１４は、操作特定部２０１３から情報を受ける度に、その情報に含まれる内容を実現する制御を行う。
例えば、操作特定部２０１３から受ける情報の示す内容が空気調和機１をオフ状態にする内容であると特定した場合、制御部２０１４は、通信部２０１１を介して室外機１０に第１パルス信号を１秒間送信する。また、例えば、操作特定部２０１３から受ける情報の示す内容が空気調和機１をオン状態にする内容であると特定した場合、制御部２０１４は、通信部２０１１を介して室外機１０に第２パルス信号を１秒間送信する。
【００３２】
フォトカプラ２０２、２０３それぞれは、入力電流の大きさに応じた大きさの電流を出力する。
具体的には、フォトカプラ２０２、２０３それぞれにおいて、入力電流は発光ダイオードに流れる。発光ダイオードは、流れる電流の電流値に応じた強さで発光する。発光ダイオードが発光して放出される光は、フォトカプラ内の受光部で受光される。受光部が受光した光の強さに応じた電流を出力トランジスタのベースに流すことによって、出力トランジスタのコレクタからエミッタへ出力電流が流れる。
【００３３】
抵抗２０４は、フォトカプラ２０２の出力電流に応じた電圧を制御装置２０１の第１端子に印加させる。制御装置２０１の第１端子に印加される電圧は、抵抗２０４の抵抗値とフォトカプラ２０２の出力電流値を乗算した値の電圧である。
【００３４】
トランジスタ２０５は、フォトカプラ２０２に入力電流を流すために用いられるトランジスタである。トランジスタ２０５のベースに印加される電圧は、制御部２０１４によって印加される。
【００３５】
次に、本発明の第１の実施形態による空気調和機１において室外機１０と室内機２０との間で通信を行う場合の動作について説明する。
【００３６】
動作制御部１０１５がトランジスタ１０５をオン状態にする直流電圧をトランジスタ１０５のベースに印加する。また、制御部２０１４がトランジスタ２０５をオン状態にする直流電圧をトランジスタ２０５のベースに印加する。この場合、５ボルト電源、フォトカプラ１０３の発光ダイオード、トランジスタ１０５の順に電流が流れる。また、５ボルト電源、フォトカプラ２０３の発光ダイオード、トランジスタ２０５の順に電流が流れる。その結果、２０ボルト電源、フォトカプラ２０２の発光ダイオード、フォトカプラ２０３の出力トランジスタ、フォトカプラ１０２の発光ダイオード、フォトカプラ１０３の出力トランジスタの順に電流が流れる。この状態を状態Ａとする。
【００３７】
この状態Ａにおいて、動作制御部１０１５がトランジスタ１０５のベースに印加する電圧を、トランジスタ１０５をオン状態またはオフ状態にするパルス信号にすると、５ボルト電源、フォトカプラ１０３の発光ダイオード、トランジスタ１０５の順に常に流れていた電流が、トランジスタ１０５がオン状態のときのみ流れる電流に変化する。
そのため、２０ボルト電源、フォトカプラ２０２の発光ダイオード、フォトカプラ２０３の出力トランジスタ、フォトカプラ１０２の発光ダイオード、フォトカプラ１０３の出力トランジスタの順に常に流れていた電流も、トランジスタ１０５がオン状態のときのみ流れる電流に変化する。
したがって、フォトカプラ２０２の出力トランジスタに流れる電流は、動作制御部１０１５がトランジスタ１０５のベースに印加するパルス信号に連動した、トランジスタ１０５がオン状態のときのみ流れる電流に変化する。
【００３８】
制御装置２０１の第１端子には、フォトカプラ２０２の出力トランジスタに流れる電流の電流値と、抵抗２０４の抵抗値とを乗算した値の電圧が印加される。よって、制御装置２０１の第１端子には、動作制御部１０１５がトランジスタ１０５のベースに印加するパルス信号に連動した電圧が印加されることになる。つまり、動作制御部１０１５は、トランジスタ１０５のベースに印加するパルス信号の変化を情報として、その情報を制御装置２０１に送信したことになる。すなわち、室外機１０から室内機２０へ情報を送信したことになる。
【００３９】
また、状態Ａにおいて、制御部２０１４がトランジスタ２０５のベースに印加する電圧を、トランジスタ２０５をオン状態またはオフ状態にするパルス信号にすれば、上述の室外機１０から室内機２０へ情報を送信する場合と同様に、制御部２０１４は、トランジスタ２０５のベースに印加するパルス信号の変化を情報として、その情報を制御装置１０１に送信することができる。
このように、室外機１０と室内機２０との間で通信を行うことができる。
【００４０】
次に、本発明の第１の実施形態による空気調和機１の処理について説明する。
なお、ここでは、ユーザが空気調和機１のリモコンに対して温度設定する操作を行った場合と、ユーザが空気調和機１のリモコンに対して空気調和機１を停止させる操作を行った場合を例に、空気調和機１の動作について説明する。
ここでは、図４に示す空気調和機１の処理フローについて説明する。
【００４１】
ユーザが空気調和機１のリモコンに対して温度設定する操作を行う。
操作特定部２０１３は、ユーザが空気調和機１のリモコンに対して行った操作よって、リモコンから室内機２０に送信される信号が示す内容を所定の時間ごと（例えば、１秒ごと）に特定する（ステップＳ１）。
操作特定部２０１３は、内容を特定する度に、その特定した内容を含む情報を制御部２０１４に出力する。
【００４２】
制御部２０１４は、操作特定部２０１３から情報を受ける度に、その情報に含まれる内容を実現する制御を行う（ステップＳ２）。
具体的には、制御部２０１４は、制御に応じた指令を通信部２０１１を介して室外機１０に、所定の時間ごと（例えば１秒ごと）に送信する。例えば、操作特定部２０１３から受ける情報の示す内容が空気調和機１をオフ状態にする内容であると特定した場合、制御部２０１４は、通信部２０１１を介して室外機１０に第１パルス信号（停止モード指令）を１秒間送信する。また、例えば、操作特定部２０１３から受ける情報の示す内容が空気調和機１をオン状態にする内容であると特定した場合、制御部２０１４は、通信部２０１１を介して室外機１０に第２パルス信号（通常モード指令）を１秒間送信する。
そして、制御部２０１４は、制御装置２０１の処理をステップＳ１に戻す。
【００４３】
指令判定部１０１３は、室内機２０から通信部１０１１を介して指令を所定の時間ごと（例えば１秒ごと）に受信する（ステップＳ３）。指令判定部１０１３は、所定の時間ごと（例えば１秒ごと）に、受信した指令が、室外機１０を通常動作させる通常モード指令であるか、室外機１０を停止させる停止モード指令であるかを判定する（ステップＳ４）。
【００４４】
指令判定部１０１３は、通常モード指令を受信したと判定した場合（ステップＳ４において「通常モード指令」）、通常モード指令であると１回判定したことを示す信号を動作制御部１０１５に出力する。
動作制御部１０１５は、指令判定部１０１３から、通常モード指令であると１回判定したことを示す信号を受ける。動作制御部１０１５は、通常モード指令であると１回判定したことを示す信号を受けると、制御装置２０１との通信を継続する制御を行う（ステップＳ５）。動作制御部１０１５は、ステップＳ３の処理に戻す。
【００４５】
また、指令判定部１０１３は、停止モード指令を受信したと判定した場合（ステップＳ４において「停止モード指令」）、所定回数（例えば３回）連続して停止モード指令と判定したか否かを判定する（ステップＳ６）。
指令判定部１０１３は、所定回数（例えば３回）連続して停止モード指令と判定していないと判定した場合（ステップＳ６においてＮＯ）、ステップＳ３の処理に戻す。
また、指令判定部１０１３は、所定回数（例えば３回）連続して停止モード指令と判定したと判定した場合（ステップＳ６においてＹＥＳ）、停止モード指令であると所定の回数連続して判定したことを示す信号を動作制御部１０１５に出力する。
【００４６】
動作制御部１０１５は、停止モード指令であると所定の回数連続して判定したことを示す信号を指令判定部１０１３から受ける。動作制御部１０１５は、室外機１０の動作を通常動作から待機状態での動作に変更する（ステップＳ７）。このとき、動作制御部１０１５は、室外機１０の動作を通常動作から待機状態での動作に変更したことを示す情報を割り込み信号生成部１０１６に出力する。
【００４７】
割り込み信号生成部１０１６は、室外機１０の動作を通常動作から待機状態での動作に変更したことを示す情報を動作制御部１０１５から受ける。割り込み信号生成部１０１６は、室外機１０の動作を通常動作から待機状態での動作に変更したことを示す情報を動作制御部１０１５から受けると、所定の時間ごと（例えば、３０秒ごと）に割り込み信号を生成する（ステップＳ８）。割り込み信号生成部１０１６は、割り込み信号を生成する度に、生成した割り込み信号を制御装置の外部に設けられた配線１００を介して、割り込み信号受信部１０１４に出力する。
【００４８】
割り込み信号受信部１０１４は、割り込み信号を割り込み信号生成部１０１６から受ける。割り込み信号受信部１０１４は、割り込み信号を受けると、割り込み信号を受けたことを示す信号を動作制御部１０１５に出力する。
【００４９】
動作制御部１０１５は、割り込み信号を受けたことを示す信号を割り込み信号受信部１０１４から受ける。動作制御部１０１５は、割り込み信号を受けたことを示す信号を割り込み信号受信部１０１４から受けると、室外機１０の動作を待機状態での動作から通常動作に変更する（ステップＳ９）。そして、動作制御部１０１５は、制御装置１０１の処理をステップＳ３の処理に戻す。
【００５０】
以上、本発明の第１の実施形態による空気調和機１について説明した。
本発明の第１の実施形態による空気調和機１において、室外機１０に備えられる制御装置１０１は、室内機２０から受信する指令が、室外機１０を通常動作させる通常モード指令であるか、室外機１０を停止させる停止モード指令であるかを、所定の時間が経過する度に判定する指令判定部１０１３と、割り込み信号を受信可能な割り込み信号受信部１０１４と、指令が停止モード指令であると指令判定部１０１３が所定の回数連続して判定した場合に、室外機１０の動作を通常動作から待機状態での動作に変更し、割り込み信号受信部１０１４が割り込み信号を受信した場合、室外機１０の動作を待機状態での動作から通常動作に変更する動作制御部１０１５と、を備える。
このように、動作制御部１０１５は、指令が停止モード指令であると指令判定部１０１３が所定の回数連続して判定した場合に、室外機１０の動作を通常動作から待機状態での動作に変更することにより、室外機１０の低消費電力化を実現することができる。
また、割り込み信号受信部１０１４が割り込み信号を受信した場合、動作制御部１０１５が室外機１０の動作を待機状態での動作から通常動作に変更することで、室内機２０からの指令なしに、室外機１０を待機状態での動作から通常動作に戻すことができる。
【００５１】
＜第２の実施形態＞
本発明の第２の実施形態による空気調和機１の構成について説明する。
空気調和機１は、図１に示すように、室外機１０、室内機２０を備える。
空気調和機１における室外機１０は、室外機１０の動作を通常動作から待機状態での動作に変更するときに、室外機１０の動作を通常動作から待機状態での動作に変更することを室内機２０に報知する室外機である。
【００５２】
制御装置１０１は、図５に示すように、通信部１０１１、記憶部１０１２、指令判定部１０１３、割り込み信号受信部１０１４、動作制御部１０１５、割り込み信号生成部１０１６を備え、さらに、報知部１０１７を備える。
報知部１０１７は、動作制御部１０１５が室外機１０の動作を通常動作から待機状態での動作に変更する前に、室外機１０の動作を通常動作から待機状態での動作に変更することを室内機２０に報知する。
【００５３】
次に、本発明の第２の実施形態による空気調和機１の処理について説明する。
なお、ここでは、図６に示す空気調和機１の処理フローを用いて図４に示した処理フローと異なるステップＳ１０の処理について説明する。
【００５４】
指令判定部１０１３は、所定回数（例えば３回）連続して停止モード指令と判定したと判定した場合（ステップＳ６においてＹＥＳ）、停止モード指令であると所定の回数連続して判定したことを示す信号を動作制御部１０１５に出力する。
【００５５】
動作制御部１０１５は、停止モード指令であると所定の回数連続して判定したことを示す信号を指令判定部１０１３から受ける。動作制御部１０１５は、室外機１０の動作を通常動作から待機状態での動作に変更することを室内機２０の制御装置２０１に報知する（ステップＳ１０）。動作制御部１０１５は、室外機１０の動作を通常動作から待機状態での動作に変更する（ステップＳ７）。このとき、動作制御部１０１５は、室外機１０の動作を通常動作から待機状態での動作に変更したことを示す情報を割り込み信号生成部１０１６に出力する。
【００５６】
以上、本発明の第２の実施形態による空気調和機１について説明した。
本発明の第２の実施形態による空気調和機１において、室外機１０に備えられる制御装置１０１は、動作制御部１０１５が室外機１０の動作を通常動作から待機状態での動作に変更する前に、室外機１０の動作を通常動作から待機状態での動作に変更することを室内機２０に報知する報知部１０１７を備える。
このように、動作制御部１０１５が室外機１０の動作を通常動作から待機状態での動作に変更する前に、室外機１０の動作を通常動作から待機状態での動作に変更することを報知部１０１７が室内機２０に報知することにより、例えば、室内機２０は、室外機１０が待機状態になる期間の情報を取得することができる。室内機２０も、室外機１０が待機状態になる期間に通信を停止すれば、空気調和機１の消費電力をより低減することができる。
【００５７】
なお、本発明の第１の実施形態及び第２の実施形態では、割り込み信号生成部１０１６は、生成した割り込み信号を、制御装置１０１の外部に設けられた配線１００を介して割り込み信号受信部１０１４に出力するものとして説明した。
しかしながら、本発明の別の実施形態では、割り込み信号生成部１０１６は、生成した割り込み信号を制御装置１０１の内部で割り込み信号受信部１０１４に出力するものであってもよい。
【００５８】
なお、本発明の実施形態における処理は、適切な処理が行われる範囲において、処理の順番が入れ替わってもよい。
【００５９】
本発明の実施形態における記憶部や記憶装置（レジスタ、ラッチを含む）のそれぞれは、適切な情報の送受信が行われる範囲においてどこに備えられていてもよい。また、記憶部や記憶装置のそれぞれは、適切な情報の送受信が行われる範囲において複数存在しデータを分散して記憶していてもよい。
【００６０】
本発明の実施形態について説明したが、上述の制御装置１０１、２０１、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図７は、少なくとも１つの実施形態に係るコンピュータの構成を示す概略ブロック図である。
コンピュータ５は、図７に示すように、ＣＰＵ６、メインメモリ７、ストレージ８、インターフェース９を備える。
例えば、上述の制御装置１０１、２０１、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００６１】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００６２】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００６３】
本発明のいくつかの実施形態を説明したが、これらの実施形態は、例であり、発明の範囲を限定しない。これらの実施形態は、発明の要旨を逸脱しない範囲で、種々の追加、種々の省略、種々の置き換え、種々の変更を行ってよい。
【符号の説明】
【００６４】
１・・・空気調和機
５・・・コンピュータ
６・・・ＣＰＵ
７・・・メインメモリ
８・・・ストレージ
９・・・インターフェース
１０・・・室外機
２０・・・室内機
１００・・・配線
１０１、２０１・・・制御装置
１０２、１０３、２０２、２０３・・・フォトカプラ
１０４、２０４・・・抵抗
１０５、２０５・・・トランジスタ
１０１１、２０１１・・・通信部
１０１２、２０１２・・・記憶部
１０１３・・・指令判定部
１０１４・・・割り込み信号受信部
１０１５・・・動作制御部
１０１６・・・割り込み信号生成部
１０１７・・・報知部
２０１３・・・操作特定部
２０１４・・・制御部
【図１】
2020016413.tif 000003
【図２】
2020016413.tif 000004
【図３】
2020016413.tif 000005
【図４】
2020016413.tif 000006
【図５】
2020016413.tif 000007
【図６】
2020016413.tif 000008
【図７】
2020016413.tif 000009